(57)【要約】      （修正有）【課題】ミストによりキャリッジエンコーダセンサ，リニアスケール，本体カバーが汚れるのを防止できる画像印字装置を提供する。【解決手段】画像形成時にミストが発生しやすい条件時、温湿度センサ１１２が検知することにより、ミストファン１０９，キャリッジモータ１１１に制御を加え、キャリッジエンコーダセンサ，リニアスケールを汚すことでの異常画像や誤動作、又は本体カバーが汚れるなどを防止し、それに加えて、ミストが発生しにくい条件時も、ミストファン，キャリッジモータを制御することで、静音などを実現し、本体寿命，品質の向上を実現する。【選択図】図１
2009113414.tif 000002
【特許請求の範囲】
【請求項１】
画像記録部と画像記録する為の記録媒体を該画像記録部に供給する内部供給機構を有する画像印字装置において、
前記画像記録部は、前記記録媒体に印字動作するシーケンスを有し、記録媒体に情報を印字することを特徴とする画像印字装置。
【請求項２】
前記印字動作シーケンスは、記録媒体の印字動作で、記録媒体に情報を印字する制御動作の可否を画像印字装置のオペレーションパネルにより選択できることを特徴とする請求項１に記載の画像印字装置。
【請求項３】
前記印字動作シーケンスは、温湿度センサの検知により、ミストファンとキャリッジモータを制御することを特徴とする請求項１，又は請求項２に記載の画像印字装置。
【発明の詳細な説明】
【技術分野】
【０００１】
本発明は、画像印字装置に関するもので、温湿度センサの検知により、ミストファンとキャリッジモータを制御することを考慮した画像印字装置に関する。
【背景技術】
【０００２】
図２は従来技術の全体構成を示す図で、１は画像印字装置（プリンタ）、２はプリンタ１を操作しやすいように所定の位置に保持するスタンドである。
【０００３】
プリンタ１は、記録媒体であるロール紙１０１、被ロール紙１０１に画像を印字するためのインクジェットヘッド１０２、インクジェットヘッド１０２を移動する為のキャリッジモータ１１２、印字に必要なインクを搭載しておくインクタンク１０３、ロール紙１０１にインクジェットヘッド１０２で印字する際に、ロール紙を安定した平面にするための印字プラテン１０４、インクジェットヘッド１０２より吐出したミスト状の余剰インクを回収するミストファン１０９、画像記録部の動作状態の指示を行うオペレーションパネル１０５、ホストコンピュータ（不図示）の指示に応じてプリント動作を判断選択するプリント制御部１０８、プリンタ１に電力を供給する電源部１０７などで構成されている。
【０００４】
画像印字部での印字動作は、ロール紙１０１が印字プラテン１０４位置にセッティングされた後、所定の画像データに従い、インクタンク１０３から供給されたインクがインクジェットヘッド１０２から吐出され、ロール紙１０１に画像形成が行われる。
【０００５】
画像形成はインクジェットヘッド１０２が、キャリッジモータ１１２により、図中手前から奥方向、あるいは奥から手前方向に移動しながら２次元的に行われ、印字が終了した部位から順次ロール紙１０１が搬送ローラ１１０により送り出されて、画像記録部の外部へ印字物１０６として排出される。図示していないが、インクタンク１０３は、一例としてブラック・マゼンタ・シアン・イエロー・ライトシアン・ライトマゼンタの６種類のインクタンクで構成されている。また、インクジェットヘッド１０２は各インク種に応じた６個のヘッドが集積されている。
【０００６】
従来技術のプリンタ１での画像形成印字手順を図３に示す。
【０００７】
プリンタ１が画像形成動作を開始する３０１と、指定印字モードに即した、インクジェットヘッド１０２より吐出したミスト状のインクを回収するミストファン１０９，インクジェットヘッド１０２を図中手前から奥方向、あるいは奥から手前方向に移動する為のキャリッジモータ１１１の駆動が開始３０６，３０７して、画像形成を行う３０８。画像形成が終了すると、キャリッジモータ１１１，ミストファン１０９を各停止３０９，３１０して、画像形成動作が終了する。
【０００８】
また従来技術にも、画像形成動作開始時に、プリンタ１機内の温湿度センサ１１２によって、その機内の温度および湿度を検知し、インクジェットヘッド１０２の吐出口が大気中に露出している時間と関連付けている温湿度テーブルを用いることによって、インクジェットヘッド１０２の吐出口を大気中に露出させた場合に、安定したインク吐出が十分可能な許容時間を決定して、制御を加えているものがある。基本的に、湿度が低い時は、ノズル内のインクが増粘しやすくなる為、安定したインク吐出が可能な許容時間は短くなり、湿度が高い時は、その許容時間が長くなる。
【０００９】
上記の例として、下記特許文献１をあげることが出来る。
【特許文献１】特開2004−122533号公報
【発明の開示】
【発明が解決しようとする課題】
【００１０】
しかしながら上記の従来技術例では、ミストが発生しやすい低湿度時（又は高温時）の画像形成時に、特別な制御をしていない為、ミストによりキャリッジエンコーダセンサ，リニアスケールを汚すことで異常画像や誤動作が発生し，又本体カバーが汚れるなどして、本体寿命，品質に影響を与えている。
【００１１】
本発明は、画像形成時にミストが発生しやすい条件時、温湿度センサが検知することにより、ミストファン，キャリッジモータに制御を加え、キャリッジエンコーダセンサ，リニアスケールを汚すことでの異常画像や誤動作、又は本体カバーが汚れるなどを防止し、それに加えて、ミストが発生しにくい条件時も、ミストファン，キャリッジモータを制御することで、静音などを実現し、本体寿命，品質の向上を図ることを目的とする。
【課題を解決するための手段】
【００１２】
画像記録部と画像記録する為の記録媒体を該画像記録部に供給する内部供給機構を有する画像印字装置において、
前記画像記録部は、前記記録媒体に印字動作するシーケンスを有し、記録媒体に情報を印字することを特徴とする画像印字装置。
【００１３】
または、前記印字動作シーケンスは、記録媒体の印字動作で、記録媒体に情報を印字する制御動作の可否を画像印字装置のオペレーションパネルにより選択できることを特徴とする請求項１に記載の画像印字装置。
【００１４】
または、前記印字動作シーケンスは、温湿度センサの検知により、ミストファンとキャリッジモータを制御することを特徴とする請求項１，又は請求項２に記載の画像印字装置。
【発明の効果】
【００１５】
本発明によれば、温湿度センサの検知により、ミストファン，キャリッジモータの制御に変化を加える。これにより、画像形成時のミストが発生しやすい条件時に、キャリッジエンコーダセンサ，リニアスケールを汚すことでの異常画像や誤動作又は本体カバーが汚れるなどを防止できる。それに加えて、ミストが発生しにくい条件時も、ミストファン，キャリッジモータを制御することで、静音などを実現し、本体寿命，品質の向上に繋がる。
【発明を実施するための最良の形態】
【００１６】
次に、本発明の詳細を実施例の記述に従って説明する。
【００１７】
以下、本発明の実施例については、インクジェットを例にとって詳細に説明します。
【実施例１】
【００１８】
図１，図９は本発明の全体構成を示す図で、１は画像印字装置（プリンタ）、２はプリンタ１を操作しやすいように所定の位置に保持するスタンドである。
【００１９】
プリンタ１は、記録媒体であるロール紙１０１、被ロール紙１０１に画像を印字するためのインクジェットヘッド１０２、インクジェットヘッド１０２を移動する為のキャリッジモータ１１２、印字に必要なインクを搭載しておくインクタンク１０３、ロール紙１０１にインクジェットヘッド１０２で印字する際に、ロール紙を安定した平面にするための印字プラテン１０４、インクジェットヘッド１０２より吐出したミスト状の余剰インクを回収するミストファン１０９、画像記録部の動作状態の指示を行うオペレーションパネル１０５、画像印字装置（プリンタ）１の周囲温度，湿度を感知する温湿度センサ１１２、ホストコンピュータ（不図示）の指示に応じてプリント動作を判断選択するプリント制御部１０８、プリンタ１に電力を供給する電源部１０７などで構成されている。
【００２０】
画像印字部での印字動作は、ロール紙１０１が印字プラテン１０４位置にセッティングされた後、所定の画像データに従い、インクタンク１０３から供給されたインクがインクジェットヘッド１０２から吐出され、ロール紙１０１に画像形成が行われる。
【００２１】
画像形成はインクジェットヘッド１０２が、キャリッジモータ１１２により、図中手前から奥方向、あるいは奥から手前方向に移動しながら２次元的に行われ、印字が終了した部位から順次ロール紙１０１が搬送ローラ１１０により送り出されて、画像記録部の外部へ印字物１０６として排出される。図示していないが、インクタンク１０３は、一例としてブラック・マゼンタ・シアン・イエロー・ライトシアン・ライトマゼンタの６種類のインクタンクで構成されている。また、インクジェットヘッド１０２は各インク種に応じた６個のヘッドが集積されている。
【００２２】
本発明のプリンタ１でのミストを抑制する画像形成印字制御手順を図４に示す。
【００２３】
プリンタ１が画像形成動作を開始３０１して、ASIC１１３が画像データ信号を受信する３０２と、第一に温湿度センサ１１２で温度と湿度をそれぞれ感知する３０３。この温湿度センサ１１２の温度と湿度が、ミストが発生しやすい条件時の低湿度２０％（又は高温度３０℃）を検知する３０３と、ミスト回収能力を上げる為、ＡＳＩＣ１１３より、MIST_PWM信号（図７参考）が出力され、ＰＮＰトランジスタ１１４，ＮＰＮトランジスタ１１５をかいして、PWMデューティをアップさせる方向（図５参考：７０％デューティ駆動時は、１００％デューティ駆動）に、ミストファン１０９の制御に変更を加える３０４。
【００２４】
又、ミストを巻き上げる原因となる機内風量を抑える為、キャリッジモータ１１１に対しても、ＡＳＩＣ１１３よりCRM_PWM信号（図８参考）が出力され、印字スピードも低速方向（図６参考：５０ｉｎｃｈ／ｓｅｃ駆動時は、２５ｉｎｃｈ／ｓｅｃ駆動）の制御に変更を加える３０５。キャリッジモータ１１１は、ＡＳＩＣ１１３で、DCモータドライバIC１１６の制御信号（PWM駆動信号（CRM_PWM）、移動方向選択信号（CRM_DIR）、スタート信号（CRM_START）、停止信号（CRM_BREAK））を生成し、DCモータドライバIC１１６，トランジスタアレイ１１７をかいして、DCモータの駆動相信号（OUTA，OUT B）を生成して、PWM速度制御を行う。
【００２５】
これにより、ミストファン１０９，キャリッジモータ１１１を駆動して３０６，３０７、画像形成を行う３０８。画像形成が終了すると、キャリッジモータ１１１，ミストファン１０９を各停止３０９，３１０して、画像形成動作が終了する。
【００２６】
これらの制御を行うことで、ミストが発生しやすい低湿度２０％時（又は、高温度３０℃）でも、機内ミストを削減でき、本体寿命，品質の確保を実現できる。
【００２７】
そして、この温湿度センサ１１２の検知による、ミストファン１０９，キャリッジモータ１１１の制御は、オペレーションパネル１０５により動作の可否を選択できる。
【実施例２】
【００２８】
なお実施例１では、画像形成時にミストが発生しやすい低湿度２０％時（又は高温時３０℃）、温湿度センサ１１２が検知することにより、ミストファン１０９MIST_PWM信号（図７参考）のPWMデューティをアップさせる方向（図５参考：７０％デューティ駆動時は、１００％デューティ駆動），キャリッジモータ１１１CRM_PWM信号（図８参考）の印字スピードを低速方向（図６参考：５０ｉｎｃｈ／ｓｅｃ駆動時は、２５ｉｎｃｈ／ｓｅｃ駆動）に制御を加えるとしたが、実施例２として、画像形成時にミストが発生にくい高湿度７０％時（又は低温時１０℃）、温湿度センサ１１２が検知することにより、ミストファン１０９MIST_PWM信号（図７参考）のPWMデューティをダウンさせる方向（図５参考：７０％デューティ駆動時は、５０％デューティ駆動），キャリッジモータ１１１CRM_PWM信号（図８参考）の印字スピードを高速方向（図６参考：２５ｉｎｃｈ／ｓｅｃ駆動時は、５０ｉｎｃｈ／ｓｅｃ駆動）に制御を加えるようにしても良い。
【図面の簡単な説明】
【００２９】
【図１】本発明の全体側面構成図
【図２】従来技術の全体構成図
【図３】従来技術の印字シーケンス図
【図４】本発明の印字シーケンス図
【図５】ミストファンのデューティ制御例
【図６】キャリッジモータの速度制御例
【図７】ミストファン駆動回路ブロック図
【図８】キャリッジモータ駆動回路ブロック図
【図９】本発明の全体正面構成図
【符号の説明】
【００３０】
１  プリンタ
１０１  ロール紙
１０２  インクジェットヘッド
１０３  インクタンク
１０４  印字プラテン
１０５  オペレーションパネル
１０６  印字物
１０７  電源部
１０８  プリント制御部
１０９  ミストファン
１１０  搬送ローラ
１１１  キャリッジモータ
１１２  温湿度センサ
１１３  ＡＳＩＣ
１１４  ＰＮＰトランジスタ
１１５  ＮＰＮトランジスタ
１１６  ＤＣモータドライバＩＣ
１１３  トランジスタアレイ
２  スタンド
【図１】
2009113414.tif 000003
【図２】
2009113414.tif 000004
【図３】
2009113414.tif 000005
【図４】
2009113414.tif 000006
【図５】
2009113414.tif 000007
【図６】
2009113414.tif 000008
【図７】
2009113414.tif 000009
【図８】
2009113414.tif 000010
【図９】
2009113414.tif 000011